(57)【要約】【課題】変更が生じてもＲＩＰ装置で再処理せずに適切なトンボを形成する。【解決手段】画像データと、前記画像データに基づく画像が形成された記録紙を断裁する際の位置決めに利用される付加画像についての付加画像設定値情報と、を取得し、当該取得した画像データと付加画像設定値情報とに基づいて記録紙上に画像形成を行うプリント情報を生成する際に、取得した画像データについて前記記録紙上での画像の位置を決定する面付け処理を行って前記画像プリント情報を生成する画像編集部と、接続されている後処理装置で使用される後処理利用設定情報、前記記録紙の断裁位置に関する断裁方法情報、綴じ代のシフトに関する綴じ代シフト情報、および前記付加画像設定値情報を参照し、前記記録紙上での付加画像の位置を決定して前記付加画像プリント情報を生成する付加画像生成部とを備える。【選択図】図１
2011124938.tif 000002
【特許請求の範囲】
【請求項１】
画像データと、前記画像データに基づく画像が形成された記録紙を断裁する際の位置決めに利用される付加画像についての付加画像設定値情報と、を取得し、当該取得した画像データと付加画像設定値情報とに基づいて記録紙上に画像形成を行うプリント情報を生成する画像処理装置であって、
前記プリント情報は、画像プリント情報と付加画像プリント情報とにより構成され、
取得した画像データについて前記記録紙上での画像の位置を決定する面付け処理を行って前記画像プリント情報を生成する画像編集部と、
接続されている後処理装置で使用される後処理利用設定情報、前記記録紙の断裁位置に関する断裁方法情報、綴じ代のシフトに関する綴じ代シフト情報、および前記付加画像設定値情報を参照し、前記記録紙上での付加画像の位置を決定して前記付加画像プリント情報を生成する付加画像生成部と、
を備えることを特徴とする画像処理装置。
【請求項２】
前記綴じ代シフト情報は、
パンチ穿孔領域あるいは綴じ代として利用される領域のための綴じ代シフトについて、
シフト前の画像形成領域内に画像が収まる設定としての縮小綴じ代シフトであるか、あるいは、単純に画像をシフトする通常綴じ代シフトであるか、のいずれのシフトであるかを選択するシフト方法選択情報を有し、
前記通常綴じ代シフトが選択された場合には、さらに、小口側断裁付加画像を前記画像のシフトに追従させるか否かについての小口側断裁付加画像設定情報を有する、
ことを特徴とする請求項１記載の画像処理装置。
【請求項３】
前記画像編集部は、
前記後処理利用設定情報において、画像形成装置に接続された後処理装置におけるパンチ穿孔処理もしくはステープル処理が選択された場合、または、前記断裁方法情報において三方断裁が選択された場合には、前記記録紙端部に、断裁後に残す画像の縁を合わせるように前記画像の前記面付け処理を行う、
ことを特徴とする請求項１または請求項２に記載の画像処理装置。
【請求項４】
前記画像編集部は、
前記後処理利用設定情報において中綴じが選択された場合、配置される複数の画像の中綴じ側において、画像領域周囲の断裁代を除いた状態で、前記画像の前記面付け処理を行う、
ことを特徴とする請求項１または請求項２に記載の画像処理装置。
【請求項５】
前記付加画像は、前記画像が形成された前記記録紙を断裁すべき位置を示すトンボである、
ことを特徴とする請求項１−４のいずれか一項に記載の画像処理装置。
【請求項６】
画像データと、前記画像データに基づく画像が形成された記録紙を断裁する際の位置決めに利用される付加画像についての付加画像設定値情報と、を取得し、当該取得した画像データと付加画像設定値情報とに基づいてプリント情報を生成して記録紙上に画像形成を行う画像形成装置であって、
前記プリント情報は、画像プリント情報と付加画像プリント情報とにより構成され、
取得した画像データについて前記記録紙上での画像の位置を決定する面付け処理を行って前記画像プリント情報を生成する画像編集部と、
接続されている後処理装置で使用される後処理利用設定情報、前記記録紙の断裁位置に関する断裁方法情報、綴じ代のシフトに関する綴じ代シフト情報、および前記付加画像設定値情報を参照し、前記記録紙上での付加画像の位置を決定して前記付加画像プリント情報を生成する付加画像生成部と、
前記画像プリント情報と前記付加画像プリント情報とに基づいて前記記録紙上に画像形成を行うプリンタ部と、
を備えることを特徴とする画像形成装置。
【請求項７】
前記綴じ代シフト情報は、
パンチ穿孔領域あるいは綴じ代として利用される領域のための綴じ代シフトについて、
シフト前の画像形成領域内に画像が収まる設定としての縮小綴じ代シフトであるか、あるいは、単純に画像をシフトする通常綴じ代シフトであるか、のいずれのシフトであるかを選択するシフト方法選択情報を有し、
前記通常綴じ代シフトが選択された場合には、さらに、小口側断裁付加画像を前記画像のシフトに追従させるか否かについての小口側断裁付加画像設定情報を有する、
ことを特徴とする請求項６記載の画像形成装置。
【請求項８】
前記画像編集部は、
前記後処理利用設定情報において、画像形成装置に接続された後処理装置におけるパンチ穿孔処理もしくはステープル処理が選択された場合、または、前記断裁方法情報において三方断裁が選択された場合には、前記記録紙端部に、断裁後に残す画像の縁を合わせるように前記画像の前記面付け処理を行う、
ことを特徴とする請求項６または請求項７に記載の画像形成装置。
【請求項９】
前記画像編集部は、
前記後処理利用設定情報において中綴じが選択された場合、配置される複数の画像の中綴じ側において、画像領域周囲の断裁代を除いた状態で、前記画像の前記面付け処理を行う、
ことを特徴とする請求項６または請求項７に記載の画像形成装置。
【請求項１０】
前記付加画像は、前記画像が形成された前記記録紙を断裁すべき位置を示すトンボである、
ことを特徴とする請求項６−９のいずれか一項に記載の画像形成装置。
【発明の詳細な説明】
【技術分野】
【０００１】
本発明は画像処理装置および画像形成装置に関し、特に、画像の隅に付加するコーナートンボなどの付加画像を適切に配置することが可能な技術に関する。
【背景技術】
【０００２】
画像形成装置において両面印刷やツーインワン印刷を行う場合、記録紙に形成する画像の位置合わせを正確に行う必要がある。位置合わせを行って断裁を行う際の目印にするために、記録紙の画像領域外の余白部分に位置合わせ用の目印となる付加画像を印刷することがある。なお、この付加画像は、十字型に交わる線分を有する形状から「トンボ」と呼ばれている。
【０００３】
この場合、ＰＣ（Personal Computer）等からの画像データを、専用のＲＩＰ（Raster Image Processor）装置でＲＩＰ処理して印刷用画像に変換する際に、トンボ等の付加画像を合成する画像合成処理を行うようにしている。
【０００４】
なお、以下の特許文献１に、印刷に関するトンボ作成の技術が記載されている。
【先行技術文献】
【特許文献】
【０００５】
【特許文献１】特開２００７−２７２７８３号公報
【発明の概要】
【発明が解決しようとする課題】
【０００６】
以上の特許文献１では、配置すべき原稿データの中央位置を合わせて、より効率的に原稿データの面付け処理を実行することができる情報処理装置が記載されている。
ここでは、製本時の仕上がりサイズが指定され、この仕上がりサイズと裁ち落とし幅（断裁代）を元にして、トンボの描画位置、画像レイアウト（面付け）位置、画像拡大縮小率、などを決めている。
【０００７】
なお、画像の縁の部分に付すコーナートンボの場合、トンボ一辺長情報、トンボ形状情報、トンボオフセット量情報、断裁量情報を利用し、入力された画像の四隅にトンボを配置するようにしている。なお、画像がシフトする場合には、このトンボも連動してシフトする。
【０００８】
ところで、画像形成装置に接続されていて各種の後処理を実行する後処理装置の能力や構成の違い、画像形成装置における利用者からの断裁方法指示、画像形成装置における利用者からの綴じ代作成のためのシフト指示、によって、トンボ位置を変更する必要が生じる場合がある。しかし、このような場合、画像形成装置側でトンボ位置を変更することができない。
【０００９】
図１６（ａ）は、後処理装置としてパンチ穿孔が可能であるため、画像形成装置側にてパンチ穴領域確保のために画像をシフトさせた様子を示している。この場合、画像と連動してトンボもシフトするため、このトンボ位置に応じて破線の位置で断裁されてしまう。すなわち、パンチ穴領域が無駄になってしまう不具合が発生する。
【００１０】
図１６（ｂ）は、後処理装置としてパンチ穿孔が可能であるため、画像形成装置側にてパンチ穴領域確保のために画像をシフトさせた様子を示している。この場合、画像と連動してトンボもシフトするが、トンボを無視して破線位置で断裁を行うように断裁変更の制御したとする。しかし、断裁された最終出力物の範囲内に、小口側トンボの一部が残ってしまう不具合がある。
【００１１】
なお、後処理装置としてパンチ穿孔だけでなく、ステープル処理などのための画像のシフトなどをユーザが求めた場合も、同様な問題が発生することになる。
このため、利用者の所望の指示に基づいた画像形成を実行するには、ＲＩＰ装置でＲＩＰ処理を再度実行し、画像レイアウトやトンボ付加を行った状態の画像を再度作成し、画像形成装置に送ってもらう必要があった。
【００１２】
このようにしてＲＩＰ処理やトンボ付加処理を繰り返すことにより、処理時間がかかる、大容量の画像を再度ＲＩＰ装置から画像形成装置に送る必要がある、など、面倒な作業が発生していた。また、ＲＩＰ装置は、空間上に画像を配置する処理をするもので、記録紙上での後処理を考慮した状態での画像やトンボの画像処理をするものではないという問題もある。
【００１３】
本発明は上記課題に鑑みてされたものであり、その目的とするところは、後処理の違いや断裁に関する変更指示が発生した場合にも、適切な付加画像を付した状態の画像を記録紙上に配置することが可能な画像処理装置と画像形成装置とを実現することである。
【課題を解決するための手段】
【００１４】
上記課題を解決する本願発明は、以下に記載されたものである。
（１）請求項１記載の発明は、画像データと、前記画像データに基づく画像が形成された記録紙を断裁する際の位置決めに利用される付加画像についての付加画像設定値情報と、を取得し、当該取得した画像データと付加画像設定値情報とに基づいて記録紙上に画像形成を行うプリント情報を生成する画像処理装置であって、前記プリント情報は、画像プリント情報と付加画像プリント情報とにより構成され、取得した画像データについて前記記録紙上での画像の位置を決定する面付け処理を行って前記画像プリント情報を生成する画像編集部と、接続されている後処理装置で使用される後処理利用設定情報、前記記録紙の断裁位置に関する断裁方法情報、綴じ代のシフトに関する綴じ代シフト情報、および前記付加画像設定値情報を参照し、前記記録紙上での付加画像の位置を決定して前記付加画像プリント情報を生成する付加画像生成部と、を備えることを特徴とする画像処理装置である。
【００１５】
また、請求項６記載の発明は、画像データと、前記画像データに基づく画像が形成された記録紙を断裁する際の位置決めに利用される付加画像についての付加画像設定値情報と、を取得し、当該取得した画像データと付加画像設定値情報とに基づいてプリント情報を生成して記録紙上に画像形成を行う画像形成装置であって、前記プリント情報は、画像プリント情報と付加画像プリント情報とにより構成され、取得した画像データについて前記記録紙上での画像の位置を決定する面付け処理を行って前記画像プリント情報を生成する画像編集部と、接続されている後処理装置で使用される後処理利用設定情報、前記記録紙の断裁位置に関する断裁方法情報、綴じ代のシフトに関する綴じ代シフト情報、および前記付加画像設定値情報を参照し、前記記録紙上での付加画像の位置を決定して前記付加画像プリント情報を生成する付加画像生成部と、前記画像プリント情報と前記付加画像プリント情報とに基づいて前記記録紙上に画像形成を行うプリンタ部と、を備えることを特徴とする画像形成装置である。
【００１６】
（２）請求項２記載の発明は、請求項１の画像処理装置において、前記綴じ代シフト情報は、パンチ穿孔領域あるいは綴じ代として利用される領域のための綴じ代シフトについて、シフト前の画像形成領域内に画像が収まる設定としての縮小綴じ代シフトであるか、あるいは、単純に画像をシフトする通常綴じ代シフトであるか、のいずれのシフトであるかを選択するシフト方法選択情報を有し、前記通常綴じ代シフトが選択された場合には、さらに、小口側断裁付加画像を前記画像のシフトに追従させるか否かについての小口側断裁付加画像設定情報を有する、ことを特徴とする。
【００１７】
また、請求項７記載の発明は、請求項６の画像形成装置において、前記綴じ代シフト情報は、パンチ穿孔領域あるいは綴じ代として利用される領域のための綴じ代シフトについて、シフト前の画像形成領域内に画像が収まる設定としての縮小綴じ代シフトであるか、あるいは、単純に画像をシフトする通常綴じ代シフトであるか、のいずれのシフトであるかを選択するシフト方法選択情報を有し、前記通常綴じ代シフトが選択された場合には、さらに、小口側断裁付加画像を前記画像のシフトに追従させるか否かについての小口側断裁付加画像設定情報を有する、ことを特徴とする。
【００１８】
（３）請求項３記載の発明は、請求項１または請求項２に記載の画像処理装置において、前記画像編集部は、前記後処理利用設定情報において、画像形成装置に接続された後処理装置におけるパンチ穿孔処理もしくはステープル処理が選択された場合、または、前記断裁方法情報において三方断裁が選択された場合には、前記記録紙端部に、断裁後に残す画像の縁を合わせるように前記画像の前記面付け処理を行う、ことを特徴とする
また、請求項８記載の発明は、請求項６または請求項７に記載の画像形成装置において、前記画像編集部は、前記後処理利用設定情報において、画像形成装置に接続された後処理装置におけるパンチ穿孔処理もしくはステープル処理が選択された場合、または、前記断裁方法情報において三方断裁が選択された場合には、前記記録紙端部に、断裁後に残す画像の縁を合わせるように前記画像の前記面付け処理を行う、ことを特徴とする。
【００１９】
（４）請求項４記載の発明は、請求項１または請求項２に記載の画像処理装置において、前記画像編集部は、前記後処理利用設定情報において中綴じが選択された場合、配置される複数の画像の中綴じ側において、画像領域周囲の断裁代を除いた状態で、前記画像の前記面付け処理を行う、ことを特徴とする。
【００２０】
また、請求項９記載の発明は、請求項６または請求項７に記載の画像形成装置において、前記画像編集部は、前記後処理利用設定情報において中綴じが選択された場合、配置される複数の画像の中綴じ側において、画像領域周囲の断裁代を除いた状態で、前記画像の前記面付け処理を行う、ことを特徴とする。
【００２１】
（５）請求項５記載の発明は、請求項１−４のいずれか一項に記載の画像処理装置において、前記付加画像は、前記画像が形成された前記記録紙を断裁すべき位置を示すトンボである、ことを特徴とする。
【００２２】
また、請求項１０記載の発明は、請求項６−９のいずれか一項に記載の画像形成装置において、前記付加画像は、前記画像が形成された前記記録紙を断裁すべき位置を示すトンボである、ことを特徴とする。
【発明の効果】
【００２３】
本発明では、取得した画像データについて記録紙上での画像の位置を決定する面付け処理を行って画像プリント情報を生成すると共に、接続されている後処理装置で使用される後処理利用設定情報、記録紙の断裁位置に関する断裁方法情報、綴じ代のシフトに関する綴じ代シフト情報、および付加画像設定値情報を参照し、記録紙上での付加画像の位置を決定して付加画像プリント情報を生成しているため、後処理の違いや断裁に関する変更指示が発生した場合にも、適切な付加画像を付した状態の画像を記録紙上に配置することが可能になる。
【図面の簡単な説明】
【００２４】
【図１】本実施の形態における画像形成システムの構成を示すブロック図である。
【図２】本実施の形態における画像形成システムの構成を示すブロック図である。
【図３】画像形成装置において実行される画像出力動作のフローチャートである。
【図４】本実施形態における面付けの様子を示す説明図である。
【図５】本実施形態における面付けの様子を示す説明図である。
【図６】本実施形態における面付けの様子を示す説明図である。
【図７】本実施形態における面付けの様子を示す説明図である。
【図８】本実施形態における面付けの様子を示す説明図である。
【図９】本実施形態における面付けの内容を示す説明図である。
【図１０】本実施形態におけるトンボ位置決定の様子を示す説明図である。
【図１１】本実施形態におけるトンボ位置決定の様子を示す説明図である。
【図１２】本実施形態におけるトンボ位置決定の様子を示す説明図である。
【図１３】本実施形態におけるトンボ位置決定の様子を示す説明図である。
【図１４】本実施形態におけるトンボ位置決定の様子を示す説明図である。
【図１５】本実施形態におけるトンボ位置決定の様子を示す説明図である。
【図１６】従来の後処理のためのシフトと断裁の問題点を示す説明図である。
【発明を実施するための形態】
【００２５】
〔実施形態の構成〕
まず、本発明の実施形態を適用した画像形成システムの構成ならびに画像形成システム周辺の各機器の配置について説明する。
【００２６】
ここで図１は画像形成システム３００の主要部の構成を示すブロック図である。また、図２は画像形成システム３００に対して、画像データと、該画像データに基づく画像が形成された記録紙を断裁する際の位置決めに利用される付加画像についての付加画像設定値情報と、を供給するプリント指示部１００との関係を示す説明図である。
【００２７】
ここで、プリント指示部１００は、コンピュータ端末などのＰＣ（Personal Computer）１１０と、ＲＩＰ（Raster Image Processor）処理を行うＲＩＰ装置１２０とで構成されている。
【００２８】
また、画像形成システム３００は、プリント指示部１００からの画像データと付加画像設定値情報とを受けるプリンタコントローラ３００Ｃと、所定の面付け処理と所定のトンボ位置決定処理とトンボ描画処理とを行って記録紙上に画像を形成する画像形成装置３００Ｐと、画像形成装置３００Ｐで画像が形成された記録紙に対してパンチやステープル等の所定の後処理を施すフィニッシャ３００Ｆと、を備えて構成されている。
【００２９】
ここで、画像形成装置３００Ｐは、画像形成に関する各種画像処理を行うエンジン制御部３１０と、ユーザにより各種の操作の入力がなされる操作表示部３２０と、原稿を読み取って画像データを生成するスキャナ部３３０と、画像処理された画像データに基づいて画像形成を行うプリンタ部３６０と、を備えて構成されている。
【００３０】
操作表示部３２０は、ＬＣＤ（Liquid Crystal Display）、ＬＣＤを覆うように設けられたタッチパネルや操作キー等から構成され、ユーザからの指示を受け付けその操作信号を、エンジン制御部３１０に出力する。また、操作表示部３２０は、エンジン制御部３１０から入力される表示信号に従って、各種操作指示や設定情報を入力するための各種設定画面や各種処理結果等を表示する。
【００３１】
スキャナ部３３０では、ＡＤＦ（Auto Document Feeder）によって送られた原稿、あるいは、原稿トレイに載置された原稿がＣＣＤ（Charge Coupled Device）等により読み取られて画像データが取得される。
【００３２】
ここで、プリンタ部３６０は、入力された画像データ（請求項における「プリント情報」）に基づいて、電子写真方式等の画像形成処理を行うものであり、画像形成する記録紙を格納する給紙トレイ、給紙トレイに記録紙を搬送するための搬送ローラ、画像形成された記録紙を搬出するための搬出部、記録紙に画像を形成するための感光ドラムや圧着ローラ等を備える画像形成部等（いずれも図示せず）を備えて構成される。
【００３３】
また、エンジン制御部３１０は、図示されないＣＰＵ（Central Processing Unit）やＲＡＭ(Random Access Memory)を備えて画像形成装置３００Ｐの各部を統括して制御するほか、各種データを不揮発記憶する不揮発メモリ３１４と、フィニッシャ３００Ｆの構成や機能を検知する機械構成取得部３１６と、面付けやトンボに関する画像処理を行う画像処理部３１００と、を備えて構成されている。
【００３４】
ここで、不揮発メモリ３１４は、ＨＤＤ（Hard Disk Drive）やプログラムメモリであるＲＯＭを備え、画像形成に係る各種処理プログラム及びデータ等を記憶する。また、不揮発メモリ３１４は、ＰＣ１１０から入力された画像情報やトンボ情報、面付け情報、記録紙サイズ、後述する画像出力動作の際に必要な各設定値、ジョブ実行のための各種条件等に関するデータを記憶している。
【００３５】
また、画像処理部３１００は、圧縮伸長などの各種画像処理を実行するほか、プリンタ部３６０のインデックス信号に基づいて画像編集や付加画像生成のタイミングに必要な同期信号を生成する同期信号生成部３１０５と、プリンタの面付けに関する画像編集を行う画像編集部３１１０と、付加画像としてのトンボに関する処理を行う付加画像生成部３１２０と、を備えて構成されている。また、画像編集部３１１０は、面付け処理を行う面付け処理部３１１１と、入力された画像データや付加画像設定値情報などの各種情報を保存する画像情報保存部３１１２と、を備えて構成されている。また、付加画像生成部３１２０は、付加画像としてのトンボの記録紙上での位置を決定するトンボ位置決定部３１２１と、画像データ上の決定された位置に所定の形状のトンボを描画する（付加画像プリント情報を生成する）トンボ描画部３１２２と、を備えて構成されている。
【００３６】
すなわち、このエンジン制御部３１０では、面付けなどの画像編集により画像データにおうじた「画像プリント情報」を生成し、また、トンボなどの付加画像による「付加画像プリント情報」を生成し、これら「画像プリント情報」と「付加画像プリント情報」とを含む「画像プリント情報」によりプリンタ部３６０で画像形成を実行する。
【００３７】
〔実施形態の全体動作〕
次に、画像形成に関する全体の動作について説明する。図３に、本実施の形態におけるプリント指示部１００と画像形成システム３００の処理の流れの連携状態を示す。
【００３８】
以上のような構成において、ＰＣ１１０ではユーザにより画像データの指定と画像形成の指示が入力される（図３中のステップＳ１０１）。画像形成指示は、ＰＣ１１０のマウス等によるユーザ入力によって指示される。例えば、画像形成の指示としては、画像データが５枚分と、この画像データの大きさがＡ５（１４８．５ｍｍ×２１０ｍｍ）のサイズを示す旨の情報、及び画像の形成位置が中央を示す旨の値である。
【００３９】
この画像データと画像形成の指示とによりＲＩＰ装置１２０にてＲＩＰ処理が実行され、画像形成用の画像データに変換される（図３中のステップＳ１０２）。ここで、ＲＩＰ処理とは、ＰＣ１１０から受信した画像データに基づいて画像形成を行う際において、プリンタ部３６０において出力可能な画像データ（Ｖｉｄｅｏデータ）にするための画像変換処理のことである。このＲＩＰ処理は、公知の様々な手法を用いてよい。
【００４０】
このＲＩＰ処理された画像データは、プリンタコントローラ３００Ｃを介して画像形成装置３００Ｐに送られ、画像情報保存部３１１２に保存される（図３中のステップＳ１１１）。
【００４１】
そして、画像形成装置３００Ｐがダイレクトプリントモードであれば即時に、また、画像形成装置３００Ｐがウェイトモードもしくはホールドモードであればユーザの操作（ジョブ選択）に応じて、以下の処理が進められる。
【００４２】
そして、画像形成システム３００のプリンタコントローラ３００Ｃの操作部あるいは画像形成装置３００Ｐの操作表示部３２０では、ユーザ操作により、ジョブデータとして、画像形成に必要な各種情報、記録紙に形成する画像データ、この画像のサイズ、画像の形成位置を示す画像貼り付け位置（以下、画像データ、サイズ、及び画像貼り付け位置をまとめて画像情報という。）、画像を形成する記録紙のサイズ情報、面付け（レイアウト）の内容を識別するための面付け情報、綴じ代シフト情報（綴じ代シフト量、縮小有無）、断裁方法情報（三方断裁、四方断裁）、後処理利用設定情報（ステープル有無、パンチ有無）、記録紙に印刷すべきトンボに関する各種トンボ情報（以下、単にトンボ情報という。）等が指示される（図３中のステップＳ１１２）。
【００４３】
なお、以上のトンボ情報としては、断裁トンボ情報（断裁代）、小口側トンボ設定、などが該当し、これらは、請求項における付加画像設定値情報に相当する。また、以上のトンボとは、画像が形成された記録紙を断裁すべき位置を示すマークであり、請求項における付加画像である。
【００４４】
また、以上の面付けとは、記録紙に形成すべき画像データの数やレイアウトのことをいう。画像形成装置３００Ｐは、面付け情報によって記録紙に形成すべき画像データの数を識別し、例えば、ツーインワン印刷（面付けが２面）やワンインワン印刷（面付けが１面）等を実行する。面付けされる画像データの数は任意の数が選択できるが、本実施の形態においては、ツーインワン印刷として説明する。
【００４５】
また、以上のトンボ情報としては、断裁位置を示すコーナートンボの有り／無しを示すコーナートンボ有無情報、コーナートンボ及びセンタートンボをページ毎に印刷するか記録紙毎に印刷するかを示すコーナートンボ描画方法、トンボを全ページに印刷するか最初のページ（フロントページ）にのみ印刷するかを示すトンボ出力ページ設定、画像や記録紙の中央位置を示すセンタートンボの有り／無しを示すセンタートンボ有無情報が含まれていてもよい。
【００４６】
そして、面付け処理部３１１１にて、プリンタコントローラや操作表示部３２０から入力された面付け情報に基づいて面付け数が判断され、面付け処理が実行される（図３中のステップＳ１１３）。
【００４７】
さらに、トンボ位置決定部３１２１が、機械構成取得部３１６で取得されたフィニッシャ３００Ｆについての後処理利用設定情報、入力された記録紙の断裁位置に関する断裁方法情報、入力された綴じ代のシフトに関する綴じ代シフト情報、および付加画像設定値情報を参照し、トンボの有無を判定し（図３中のステップＳ１１４）、記録紙上での付加画像としてのトンボの記録紙上での位置を決定する（図３中のステップＳ１１５）。そして、画像データ上の決定された位置に所定の形状のトンボを、トンボ描画部３１２２が描画する（図３中のステップＳ１１６）。
【００４８】
そして、面付け処理された画像データに応じた画像プリント情報と、所定の位置に描画されたトンボの画像に応じた付加画像プリント情報とを受けたプリンタ部３６０が、記録紙上に画像形成して出力する（図３中のステップＳ１１７）。なお、このような画像形成を、プリント指示部１００から送られた画像の全頁について繰り返し実行する（図３中のステップＳ１１８）。
【００４９】
〔実施形態の特徴部分の動作〕
以下、面付け処理（図３ステップＳ１１３）とトンボ位置決定・トンボ位置計算処理（図３ステップＳ１１５）とについて詳細に説明する。
【００５０】
〔面付け処理〕
以下、説明のため、以下の面付け処理Ａ−面付け処理Ｄの４種類の面付け位置計算の処理に分類する。なお、面付け処理Ａ−面付け処理Ｄの４種類と、その内容については、図９に一覧表を示す。なお、図９では、処理Ａ−処理Ｄとして示している。
【００５１】
・面付け処理Ａ：
画像の面付け位置（記録紙センターへの貼り付け位置）を計算する面付け位置計算＃１；
ここで、図４（ａ）は１ｉｎ１中央配置の場合の面付け位置を示し、図４（ｂ）は中綴じ時の面付け位置の配置を示している。以下、この中綴じ時の例を用いて説明する。
【００５２】
なお、それぞれの図面における各領域の塗り分けの意味は図４（ｃ）に示すごとく、薄グレーの領域が転写紙（記録紙）領域であり、白領域が断裁代を含んだ全画像領域（全原稿画像領域）であり、濃グレーの領域が断裁代を含まない原画像領域であり、太破線が断裁により得られる断裁後出力物の領域である。以下、他の図面も同様に示す。
【００５３】
まず、断裁代をもった原稿画像２枚を、記録紙中央に、原画像の中央合わせで面付け（中綴じ）する場合の問題点を説明する。
原稿画像の断裁代を削らずに面付けを行うと、図５（ａ）のように余分な断裁代画像が残ってしまったり、あるいは、図５（ｂ）に示すように原稿画像の一方の断裁代が他方の原稿画像の画像領域を上書きしてしまうという問題が発生する。
【００５４】
この問題を解決するには、図５（ｃ）に示すように、中央合わせになる面の断裁代画像の部分を削除した状態で、２枚の原稿画像を面付け処理する。これにより、画像展開時に不要なメモリを削減することも可能になる。
【００５５】
以下、画像の大きさや座標について、具体的数値の一例を用いて説明を行う。なお、この数値は一例であり、各種の変更が可能である。
すなわち、この面付け処理Ａについては、図６（ａ）のように断裁代を含んだ原画像の座標（Ｘ：０−３００，Ｙ：０−２００）から、断裁代（１０）を除いた実画像の座標（Ｘ：１０−２９０，Ｙ：１０−１９０）を求める。
【００５６】
そして、中央合わせにするにする部分で断裁代を削除した状態の画像の座標を図６（ｂ）上段のそれぞれから、図６（ｂ）下段のそれぞれのように求める。
ここでは、図６（ｂ）下段の左側画像については、断裁代を含んだ座標（Ｘ：０−２９０，Ｙ：０−２００）、実画像の座標（Ｘ：１０−２９０，Ｙ：１０−１９０）となる。また、図６（ｂ）下段の右側画像については、断裁代を含んだ座標（Ｘ：０−２９０，Ｙ：０−２００）、実画像の座標（Ｘ：０−２８０，Ｙ：１０−１９０）となる。
【００５７】
さらに、図６（ｃ）のようにして、Ｘ：０−７００，Ｙ：０−３００の記録紙上に、２枚の画像を中央合わせにして座標を求める。この場合、左画像の左上端部の貼り付け座標は、Ｘ：７００／２−２９０＝６０，Ｙ：３００−２００＝１００であり、右画像の左上端部の貼り付け座標は、Ｘ：７００／２＝３５０，Ｙ：３００−２００＝１００である。
【００５８】
・面付け処理Ｂ：
画像の面付け位置（記録紙縁への貼り付け位置）を計算する面付け位置計算＃２；
ここでは、断裁方法情報と、後処理利用設定情報と、機械構成情報などにより、以下のように処理が分かれる。
【００５９】
三方断裁、もしくは画像形成装置３００Ｐに接続されたフィニッシャ３００Ｆのパンチ処理やステープル処理が選択された場合には、上述した図６（ｃ）に示した面付け処理Ａの座標について、パンチ・ステープル処理、三方断裁にて断裁しない面側の記録紙縁（図７（ａ）では左端部（太縦線））に、図７（ｂ）のようにして実画像の縁が合うように面付け位置の座標を計算する。
【００６０】
この場合、面付け処理Ａで求めた左画像の左上端部の貼り付け座標は、Ｘ：７００／２−２９０＝６０，Ｙ：３００−２００＝１００であり、右画像の左上端部の貼り付け座標は、Ｘ：７００／２＝３５０，Ｙ：３００−２００＝１００であった（図７（ａ））。
【００６１】
これに対し、この面付け処理Ｂで求める左画像の左上端部の貼り付け座標は、Ｘ：６０−６０−１０＝−１０，Ｙ：３００−２００＝１００であり、右画像の左上端部の貼り付け座標は、Ｘ：７００／２−６０−１０＝２８０，Ｙ：３００−２００＝１００である（図７（ｂ））。
【００６２】
・面付け処理Ｃ：
綴じ代シフト情報を加味した面付け位置を計算する面付け位置計算＃３；
ここでは、面付け処理Ａのみが行われた場合には面付け処理Ａ（図７（ａ））に対して、面付け処理Ｂが行われた場合には面付け処理Ｂ（図７（ｂ））に対して、パンチ穴領域やステープル領域のための綴じ代シフト情報の値を加算する。
【００６３】
図７（ｃ）は、図７（ｂ）の面付け処理Ｂに対して綴じ代シフト情報の値を加算した状態を示している。なお、綴じ代シフトとは、図１６で説明したように、フィニッシャによる後処理でパンチ穴領域やステープル領域などに利用される領域確保のためシフトを意味しており、ここでは、綴じ代シフト情報の値が１４０である具体例を示している。
【００６４】
この場合、この面付け処理Ｂで求めた左画像の左上端部の貼り付け座標は、Ｘ：６０−６０−１０＝−１０，Ｙ：３００−２００＝１００であり、右画像の左上端部の貼り付け座標は、Ｘ：７００／２−６０−１０＝２８０，Ｙ：３００−２００＝１００であった（図７（ｂ））。
【００６５】
これに対し、この面付け処理Ｃで求める左画像の左上端部の貼り付け座標は、Ｘ：−１０＋１４０＝１３０，Ｙ：３００−２００＝１００であり、右画像の左上端部の貼り付け座標は、Ｘ：２８０＋１４０＝４２０，Ｙ：３００−２００＝１００である（図７（ｃ））。
【００６６】
・面付け処理Ｄ：
縮小シフト（縮小有りの綴じ代シフト）を考慮した面付け位置を計算する面付け位置計算＃４と画像縮小率の計算；
縮小率、縮小後の面付け位置計算は、面付け処理Ａについての図８（ａ）の状態（図６（ｃ）、図７（ａ）同等）から、図８（ｂ）のようにして計算する。この面付け処理Ｄでは、幅の比率と高さの比率を求め、小さい方の比率を採用して縮小する。これにより、綴じ代シフトであるものの、縮小させることにより、シフトによる進行先の側の座標が変わることがない。
【００６７】
図８の例では、綴じ代シフトの値を１４０とした場合、
幅比率
＝（１実画像幅＋２実画像幅）−綴じ代シフト量Ｈ／（１実画像幅＋２実画像幅）
＝（２８０＋２８０−１４０）／５６０
＝０．７５［倍］
である。
高さ比率
＝（１実画像高＋２実画像高）−綴じ代シフト量Ｖ／（１実画像高＋２実画像高）
＝（１８０＋１８０−０）／３６０
＝１．０［倍］
である。
【００６８】
よって、図８の例では、以上の２つの式の小さい方の比率を採用し、縮小倍率は幅比率の０．７５倍となる。
この場合、面付け処理Ａで求めた左画像の左上端部の貼り付け座標は、Ｘ：７００／２−２９０＝６０，Ｙ：３００−２００＝１００であり、右画像の左上端部の貼り付け座標は、Ｘ：７００／２＝３５０，Ｙ：３００−２００＝１００であった（図８（ａ））。
【００６９】
これに対し、この面付け処理Ｄで求める左画像の左上端部の貼り付け座標は、Ｘ：７００／２−２９０＋１４０−（１０＊０．７５）＝１９２．２，Ｙ：３００−２００＋（１０＊０．７５）≒１０７であり、右画像の左上端部の貼り付け座標は、Ｘ：７００／２＋１４０−（０＊０．７５）＝４９０，Ｙ：３００−２００＋（１０＊０．７５）≒１０７である（図８（ｂ））。
【００７０】
ここでは、実画像情報で縮小倍率や縮小後の貼り付け位置を計算するようにしているが、断裁代を含んだ画像サイズで計算するようにしてもよい。この場合に、ユーザもしくは初期設定にて計算方法を選択させるようにしてもよい。
【００７１】
〔トンボ位置決定処理〕
以上の面付け処理Ａ〜面付け処理Ｄの４種類の面付け処理（面付け位置計算処理）に対応して、トンボ位置を決定し計算するトンボ位置決定処理を実行する。
【００７２】
なお、本実施形態で具体例に用いるトンボは、画像や断裁代の隅を示すコーナートンボであり、図１０（ａ）に配置例を、図１０（ｂ）にトンボの拡大図を示す。
なお、各領域の塗り分けの意味は図１０（ｃ）に示すごとく、薄グレーの領域が転写紙（記録紙）領域であり、白領域が断裁代を含んだ全画像領域（全原稿画像領域）であり、濃グレーの領域が断裁代を含まない原画像領域であり、太破線が断裁により得られる断裁後出力物の領域である。
【００７３】
そして、図１０（ｂ）に拡大図を示すＬ１〜Ｌ４の四本の線分で構成されたトンボが、図１０（ａ）の実画像と断裁代とを明示している。この場合、断裁の基準となる実画像の隅に相当するＰｔの座標を示すように、以上のＬ１〜Ｌ４の線分の位置や長さを、決定し計算する。
【００７４】
なお、トンボに用いられる形状、線分Ｌ１−Ｌ４の辺長と線幅とは、ともに不揮発メモリ３１４に記憶されており、操作表示部３２０からの入力により値を変更することも可能である。
【００７５】
・トンボ位置決定処理Ａ：
以上の面付け処理Ａのみが行われた場合には、面付け処理Ａで得られた座標（図６（ｃ））に対して、トンボ位置決定とトンボ位置計算とを行う。
【００７６】
面付け処理Ａでは、図６（ｃ）のように、記録紙上に２枚の画像を中央合わせにして座標を求めているため、これに合わせてトンボ位置決定とトンボ位置計算とを行った様子を、図６（ｃ）に対応させて図１１（ａ）に示す。
【００７７】
面付け処理Ａとして、綴じ代シフトなし、三方断裁やフィニッシャでの後処理が選択されていない場合で、２画像で一つの出力物指定がなされた場合には、中央合わせにならないため、これに合わせてトンボ位置決定とトンボ位置計算とを行う。この様子を図１１（ｂ）に示す。
【００７８】
・トンボ位置決定処理Ｂ：
以上の面付け処理Ｂのみが行われた場合には、面付け処理Ｂで得られた座標（図７（ｂ））に対して、トンボ位置決定とトンボ位置計算とを行う。
【００７９】
面付け処理Ｂでは、図７（ｂ）のように、記録紙上に２枚の画像を中央合わせにし、綴じ代シフトなしであるが、三方断裁やフィニッシャでの後処理が選択された状態で座標を求めている。
【００８０】
すなわち、パンチ・ステープル処理、三方断裁にてカットしない面側の記録紙縁に、実画像の縁が合うように面付け位置の座標を計算しているため、これに合わせてトンボ位置決定とトンボ位置計算とを行う。この様子を図７（ｂ）に対応させて図１２に示す。
【００８１】
・トンボ位置決定処理Ｃ：
以上の面付け処理Ｃまで行われた場合には、面付け処理Ｂに対して綴じ代シフト情報の値を加算した状態となる面付け処理Ｃで得られた座標（図７（ｃ））に対して、トンボ位置決定とトンボ位置計算とを行う。
【００８２】
すなわち、小口側トンボ（綴じ代シフトにより小口側に達する側のトンボ）の設定が、実画像の端部に小口側トンボを追従させるモードとして指定されている場合には、記録紙に乗らない状態であっても、図１３（ａ）（ｂ）に示すように、トンボ位置決定とトンボ位置計算とを行う。なお、面付け処理Ｃによるシフト情報の値の追加により、図１３（ａ）は実画像の一部が記録紙からはみ出している場合であり、図１３（ｂ）は断裁代の一部が記録紙からはみ出している場合である。
【００８３】
また、小口側トンボ（綴じ代シフトにより小口側に達する側のトンボ）の設定が、実画像の端部に小口側トンボを追従させないモードとして指定されている場合には、記録紙に乗らない状態であっても、図１４（ａ）（ｂ）に示すように、トンボ位置決定とトンボ位置計算とを行う。なお、面付け処理Ｃによるシフト情報の値の追加により、図１４（ａ）は実画像の一部が記録紙からはみ出している場合であり、図１４（ｂ）は断裁代の一部が記録紙からはみ出している場合である。
【００８４】
・トンボ位置決定処理Ｄ：
以上の面付け処理Ｄ（縮小シフト（縮小有りの綴じ代シフト）を伴う面付け処理）まで行われた場合、この面付け処理Ｄでは綴じ代シフトであるものの縮小させることによりシフトさせない側の座標が変わることがないため（図８（ａ）→図８（ｂ））、面付け処理Ａまたは面付け処理Ｂで得られた座標（図６（ｃ）または図７（ｂ））に対して、トンボ位置決定とトンボ位置計算とを行う。この様子を図８（ｂ）に対応させて図１５に示す。
【００８５】
〔本実施形態による効果〕
以上の実施形態では、取得した画像データについて記録紙上での画像の位置を決定する面付け処理を行って画像プリント情報を生成すると共に、接続されているフィニッシャで使用される後処理利用設定情報、記録紙の断裁位置に関する断裁方法情報、綴じ代のシフトに関する綴じ代シフト情報、および付加画像（トンボ）設定値情報を参照し、記録紙上での付加画像（トンボ）の位置を決定して付加画像プリント情報を生成しているため、後処理の違いや断裁に関する変更指示が発生した場合にも、適切な付加画像（トンボ）を付した状態の画像を記録紙上に配置することが可能になる。
【００８６】
従って、ＲＩＰ装置側に再処理を依頼する必要はなく、また、後処理などの変更のために生じたシフト領域が無駄になったりすることがなく、適切なトンボを付した状態の画像を記録紙上に配置することが可能になる。
【符号の説明】
【００８７】
１００  プリント指示部
１１０  ＰＣ
１２０  ＲＩＰ装置
３００  画像形成システム
３００Ｃ  プリンタコントローラ
３００Ｐ  画像形成装置
３００Ｆ  フィニッシャ（後処理装置）
３１０  エンジン制御部
３２０  操作表示部
３３０  スキャナ部
３６０  プリンタ部
３１００  画像処理部
３１１０  画像編集部
３１１１  面付け処理部
３１１２  画像情報保存部
３１２０  付加画像生成部
３１２１  トンボ位置決定部
３１２２  トンボ描画部
【図１】
2011124938.tif 000003
【図３】
2011124938.tif 000004
【図９】
2011124938.tif 000005
【図２】
2011124938.tif 000006
【図４】
2011124938.tif 000007
【図５】
2011124938.tif 000008
【図６】
2011124938.tif 000009
【図７】
2011124938.tif 000010
【図８】
2011124938.tif 000011
【図１０】
2011124938.tif 000012
【図１１】
2011124938.tif 000013
【図１２】
2011124938.tif 000014
【図１３】
2011124938.tif 000015
【図１４】
2011124938.tif 000016
【図１５】
2011124938.tif 000017
【図１６】
2011124938.tif 000018